(57)【特許請求の範囲】
【請求項１】
管壁(1)が、管軸方向において断面方形壁部分(2)と断面円形壁部分(3)とが交互に配設形成されている管体(P)と、その上方において配管される断面円形の管(K)とからなり、該断面円形管(K)が、その長さ方向所定間隔ごとに配置された管姿勢規制用の管枕(4)によって配管姿勢が確保され、これら各管枕(4)…の下方において、前記管体(P)が当該断面方形壁部分(2)の複数の壁(2)，(2)…に跨る長さを有する断面コの字形の荷重分散カバー(c)…を備え、複数または多数本の管体を平行配管及び積み重ね配管してなる地中埋設管。
【請求項２】
地中を掘削した管体集合埋設箇所において、管壁(1)が、管軸方向において断面方形壁部分(2)と断面円形壁部分(3)とを交互に形成してある管体(P)を、断面方形壁部分(2)を水平方向に沿わせて配管し、その長さ方向所定間隔ごとに、当該断面方形壁部分(2)の複数の壁(2)，(2)…に跨る長さを有する断面コの字形に形成した荷重分散カバー(c)…を鞍状に載置し、これらの各荷重分散カバー(c)…の上部に、横長の板体であって上縁部に半円弧状の切り込み凹部(d)を形成した下部管枕(4a)…を当該凹部(d)を上方に向けて管体(P)と直交させて配置し、この凹部(d)上に断面円形の管(K)を配管し、更に、これらの各下部管枕(4a)…上に、該下部管枕(4a)と対称形に下側に半円弧状の切り込み凹部(d)を形成した上部管枕(4b)…をそれぞれ配置し、前記管体(P)上に管(K)を配管し、複数または多数本の管体を平行配管及び積み重ね配管する地中埋設管の埋設方法。
【請求項３】
地中を掘削した管体集合埋設箇所において、管壁(1)が、管軸方向において断面方形壁部分(2)と断面円形壁部分(3)とを交互に形成してある管体(P)を、断面方形壁部分(2)を水平方向に沿わせて配管し、その長さ方向所定間隔ごとに、当該断面方形壁部分(2)の複数の壁(2)，(2)…に跨る長さを有する断面コの字形に形成した荷重分散カバー(c)…を鞍状に載置し、これらの各荷重分散カバー(c)…の上部に、横長の板体であって上縁部に半円弧状の切り込み凹部(d)を形成した下部管枕(4a)…を当該凹部(d)を上方に向けて管体(P)と直交させて配置し、この凹部(d)上に断面円形の管(K)を配管し、続いて、これらの各下部管枕(4a)…上に、上下縁の両方にそれぞれ半円弧状の切り込み凹部(d)…を形成してある中間管枕(4c)…をそれぞれ配置するとともに、その上縁部側の凹部(d)上に断面円形の管(K)を配管することを一度若しくは複数回繰り返し、更に、これらの各中間管枕(4c)…上に、前記下部管枕(4a)と対称形に下側に半円弧状の切り込み凹部(d)を形成した上部管枕(4b)…をそれぞれ配置して、前記管体(P)上に管(K)を複数段積み重ね平行配管する地中埋設管の埋設方法。
【請求項４】
地中を掘削した管体集合埋設箇所において、管壁(1)が、管軸方向において断面方形壁部分(2)と断面円形壁部分(3)とを交互に形成してある管体(P)を、断面方形壁部分(2)を水平方向に沿わせて配管し、その長さ方向所定間隔ごとに、当該断面方形壁部分(2)の複数の壁(2)，(2)…に跨る長さを有する断面コの字形に形成した荷重分散カバー(c)…を鞍状に載置し、他方、略方形状の板体であって円形の貫通穴(D)を形成した複数の管枕(4)…を用い、この貫通穴(D)に断面円形の管(K)を挿通し、これらの各管枕(4)…を前記荷重分散カバー(c)…の上部において、前記管体(P)と直交姿勢に配置し、前記管体(P)上に管(K)を平行配管する地中埋設管の埋設方法。
【発明の詳細な説明】
【０００１】
【発明の属する技術分野】
本発明は、電線・電話線・光ケーブル等のケーブル類を内部に挿通し保護するために使用される複数本若しくは多数本の管体を地中に平行埋設して電線共同溝（通常Ｃ．Ｃ．Ｂｏｘと呼ばれている）を構築するための地中埋設管とその埋設方法に関するものである。
【０００２】
【従来の技術】
従来から、前記ケーブル類の配線のための地中埋設共同溝は各種各様の形態で構築されている。また、この共同溝の形成管としては管壁を環状または螺旋状の凹凸波形状に形成した波形管と、凹凸のないストレート状に形成した直管とが、広く知られており、既に、使用されるに至っている。
【０００３】
【発明が解決しようとする課題】
而して、このような一般に知られた管体は、前者の波形管の場合も、後者の直管の場合も、周方向には全長にわたって円形であるため、配管に際して、周方向に回転し易く、安定性が悪く、複数本の管体を平行に配管させる場合に、平行性の維持が難しいという課題を有している。
【０００４】
そこで、本発明の関係者は、このような従来の円形の管体が有していた課題に着目し、これらの従来管が有していた課題を解決する管体として、図１１及び図１２に示したように、管壁１の形状を、管軸方向において断面方形壁部分２と断面円形壁部分３とを交互に配設形成してある構造とし、断面方形壁部分２…の存在によって、管体が周方向に濫りに回転移動しないようにした合成樹脂管体Ｐを開発し、既に提案している（特開平８−２１９３３３号公報参照）。
【０００５】
本発明は、この後者の新しい形態の管体と前者の円形形態の管体（以下これらの管体を区別するため、実施例説明にあっては、便宜上前者の管体を角形管体、後者の管体を円形管といい、両者を含めていう場合は単に管体という）とを同時に使用し、電線共同溝を地中に埋設構築しようとするものであって、複数または多数本の管体を平行配管及び積み重ね配管するのに適した配管構造と配管方法とを提供することを目的としてなされたものである。
【０００６】
即ち、本発明者は、電線共同溝を構築するに当たって、ケーブルの管内への挿通配線操作と管内挿通ケーブルの保護との観点から、これらの両形態の管体を同時に使用して複数配管することを前提とし、管体どうしの並列配管や積み重ね配管が最大限容易にでき、かつ、各管体の損傷並びに経時変形を最小限に止めることが可能な配管構造と配管方法とをここに提案するものである。
【０００７】
【課題を解決するための手段】
この課題を解決するために講じた本発明にいう地中埋設管の構成は、管壁１が、管軸方向において断面方形壁部分２と断面円形壁部分３とが交互に配設形成されている管体Ｐと、その上方において配管される断面円形の管Ｋとからなり、該断面円形管Ｋが、その長さ方向所定間隔ごとに配置された管姿勢規制用の管枕４によって配管姿勢が確保され、これら各管枕４…の下方において、前記管体Ｐが当該断面方形壁部分２の複数の壁２，２…に跨る長さを有する断面コの字形の荷重分散カバーｃ…を備え、複数または多数本の管体を平行配管及び積み重ね配管してなる構成としたものである。
【０００８】
また、この地中埋設管の埋設方法についての第１の手段は、地中を掘削した管体集合埋設箇所において、管壁１が、管軸方向において断面方形壁部分２と断面円形壁部分３とを交互に形成してある管体Ｐを、断面方形壁部分２を水平方向に沿わせて配管し、その長さ方向所定間隔ごとに、当該断面方形壁部分２の複数の壁２，２…に跨る長さを有する断面コの字形に形成した荷重分散カバーｃ…を鞍状に載置し、これらの各荷重分散カバーｃ…の上部に、横長の板体であって上縁部に半円弧状の切り込み凹部ｄを形成した下部管枕４ａ…を当該凹部ｄを上方に向けて管体Ｐと直交させて配置し、この凹部ｄ上に断面円形の管Ｋを配管し、更に、これらの各下部管枕４ａ…上に、該下部管枕４ａと対称形に下側に半円弧状の切り込み凹部ｄを形成した上部管枕４ｂ…をそれぞれ配置し、前記管体Ｐ上に管Ｋを配管し、複数または多数本の管体を平行配管及び積み重ね配管する構成としたものである。
【０００９】
また、この地中埋設管の埋設方法についての第２の手段は、地中を掘削した管体集合埋設箇所において、管壁１が、管軸方向において断面方形壁部分２と断面円形壁部分３とを交互に形成してある管体Ｐを、断面方形壁部分２を水平方向に沿わせて配管し、その長さ方向所定間隔ごとに、当該断面方形壁部分２の複数の壁２，２…に跨る長さを有する断面コの字形に形成した荷重分散カバーｃ…を鞍状に載置し、他方、略方形状の板体であって円形の貫通穴Ｄを形成した複数の管枕４…を用い、この貫通穴Ｄに断面円形の管Ｋを挿通し、これらの各管枕４…を前記荷重分散カバーｃ…の上部において、前記管体Ｐと直交姿勢に配置し、前記管体Ｐ上に管Ｋを平行配管する構成としたものである。
【００１０】
【発明の実施の形態】
これを実施するに当たっては、管体の素材は特に限定されるものではないが、主として合成樹脂素材のものが用いられ、前記角形管体の場合は、ポリエチレンやポリプロピレンのようなポリオレフィン系樹脂製のものが耐水性と耐圧性に優れている点で多用されている。前記断面コの字形に形成した荷重分散カバーｃも同様にポリオレフィン系樹脂製のものが経時劣化が少ない点で好ましい。しかしながら、該荷重分散カバーｃは合成樹脂製のもののみに限らず、例えば樹脂被覆その他の手段によって防錆処理を施した鉄板製のものであっても使用することができる。
【００１１】
また、本発明に使用される前記管体Ｐにいうところの断面方形壁部分２の断面形状は、角張った方形状のもののみならず、実施例図に示したように角部を弧状に形成した形状のものでもよく、また正方形状のもののみに限らず、横方向または縦方向に長い長方形状に形成してあるものであってもよい。
【００１２】
【実施例】
次に、本発明の実施例について、添付の図面に基づいて説明する。図１乃至図６は本発明の基本的な実施例を第１実施例として示したもので、図１は配管状態の要部を示した斜視図、図２は管体と荷重分散カバーとの斜視図、図３は各部品の関係を説明する斜視図、図４は図１の正面図、図５はその側面図、図６は図４の状態を長尺状態で示した正面図である。
【００１３】
該第１実施例に示した角形管体Ｐは、一般に知られたキャタピラー方式によるブロー成形手段によって形成された管体であって、該管体Ｐは、図のように、管壁１の形状を、管軸方向において、断面形状を角部を丸めたほぼ正方形とした方形壁部分２と、断面形状をほぼ真円形とした円形壁部分３とを順次交互に連続するように形成したポリエチレン樹脂製の管体である。また、この実施例に示した円形壁部分３の外径は前記方形壁部分２における四辺よりも小径となるように形成したものである。
【００１４】
而して、該方形管体Ｐは、配管時には、その断面方形壁部分２の直線辺を利用し配管場所において、該辺が水平方向に沿うようにして安定良く配管される。次いで、この管体Ｐの長さ方向において所定間隔ごとに、その上面に、該管体の断面方形壁部分２のほぼ四つの壁２，２…に跨る長さをもち、断面コの字形に形成した多数の荷重分散カバーｃ…を、殊に、図２及び図３にみられるように、鞍状に載置させる。該実施例に示した荷重分散カバーｃ…は、前記角形管体Ｐと同様にポリエチレン樹脂によって形成してある。
【００１５】
続いて、全体として横長の板体であって、上縁部に半円弧状の切り込み凹部ｄを形成した下部管枕４ａ…と、該下部管枕４ａと対称形に下側に半円弧状の切り込み凹部ｄを形成した上部管枕４ｂ…とからなる管枕４を用い、先ず、下側の下部管枕４ａ…を、前記の各荷重分散カバーｃ…の長さ方向のほぼ中間部分の上において、前記凹部ｄを上方に向けて管体Ｐと直交する状態で配置させ、この各凹部ｄ…上に、断面円形の筒状管Ｋを横臥状に配管し、更に、前記各下部管枕４ａ…の上に、前記上部管枕４ｂ…を、それぞれの半円弧状の切り込み凹部ｄを下向きにしてそれぞれ配置する。
【００１６】
このようにして、断面円形で直管状に形成された円形管Ｋは、図４、図５にみられるように、その長さ方向所定間隔ごとに、上下の管枕４ａ，４ｂからなる管姿勢規制用の管枕４によって配管姿勢が規制された状態で、即ち、円周方向への自由な移動回転が阻止された状態で、各管枕４…を介して、角形管体Ｐに跨らせて載置された断面コの字形の荷重分散カバーｃ…によって、角形管体Ｐの複数の方形壁部分２…に荷重が分散されて支持されるのである。
【００１７】
図７乃至図９は、このようにして上方に配管される円形管Ｋ…の荷重が複数の方形壁部分２…に分散されて下部の角形管体Ｐ…に支持されるように配管された配管状態をそれぞれ例示したもので、図７に示した配管例は、前記第１実施例において示した１本の角形管体Ｐに対して１本の円形管Ｋを上方に積み重ね状に配管した形態のものを、横方向に４本宛並列配管させて多孔管路を形成した場合の実施例を示したものである。
【００１８】
図８は、横５列・上下２段に積み上げ並列配管させた角形管体Ｐ…のそれぞれの上方に、上下２段宛横５列に１０本の円形管Ｋ…を積み上げ並列配管させて多孔管路を形成したものである。このように、下方に配管される角形管体Ｐは単に１段のみに止まらず２段以上複数段積み上げ配管されることがあり、また、上部に配管される円形管Ｋの場合も２段以上の複数段に積み上げ配管されることがある。また、該実施例図に示した管枕４は、最下部と最上部とに配置される管枕４ａ…，４ｂ…の中間部に配置される中間管枕４ｃ…を、上下縁の両方にそれぞれ半円弧状の切り込み凹部ｄ…を形成してある管枕を使用している。この中間管枕４ｃ…は、一段のみならず、必要に応じて複数段使用し、前記管体Ｐ上に管Ｋを複数段積み重ね配管することができる。ここにいう中間管枕４ｃは前記最下部と最上部との管枕４ａ…，４ｂ…と同じものを使用することができることは当然であるが、該実施例に示してある中間管枕４ｃの方が部品点数が少なく安定し易い点で好ましい。
【００１９】
また、図９は、配管する管径に合わせた大きさの貫通孔ｈ１…，ｈ２…を方形状のボードに所要数形成した管ホルダーＨ１，Ｈ２を利用して、それぞれの貫通孔ｈ１…，ｈ２…に所要径の管を貫通させて、複数の管を所定の間隔を保って上下左右に配管するようにした、従来から一般に用いられている多孔管路の側方に平行して、横３列・上下２段に配管させた角形管体Ｐ…と、その上方に上下２段宛横３列に円形管Ｋ…を積み上げ配管させて多孔管路を形成した状態を示したものである。また、ここに示した管枕４は、最下部に配置した管枕４ａと最上部に配置した管枕４ｂと、上下縁の両方に半円弧状の切り込み凹部ｄ…を形成した中間配置用の中間管枕４ｃとの全てを横長の長尺物とし、横方向にそれぞれ３コづつの切り込み凹部ｄ…を形成してある構造としたものである。本発明にいうところの管枕４は、このように横長のものとし、複数の管を支持するようにしたものであってもよい。
【００２０】
図１０は、更に別の実施例について示したもので、本発明にいう管枕４を、前記図９において示した従来から使用されている管ホルダーＨ１，Ｈ２のように、配管する管径に合わせた大きさの貫通穴Ｄ…を方形状のボードに縦横方向に所要数形成してあるものとし、それぞれの貫通穴Ｄ…に配管しようとする所要径の管Ｋ…を貫通させ、これらの各管枕４…を先に配管した複数の角形管体Ｐ…に載置させた荷重分散カバーｃ…の上部において、管体Ｐと直交姿勢に配置して、複数の管体Ｐ…上部に複数の管Ｋ…を配管し、多孔管路を形成するようにしたものである。また、該実施例に示した断面コの字形の荷重分散カバーｃ…は、１本の角形管体Ｐに対して一つ使用する形態ではなく、複数本の角形管体Ｐ…、図示のものにあっては３本の角形管体Ｐ…を一体的に覆う横幅をもった形状に形成したものである。本発明にいうところの荷重分散カバーｃ…は、このように、このカバーｃを使用する角形管体Ｐの２本の幅相当や４本の幅相当の横幅を備えているものとして実施することができる。このようにした場合には、複数本の角形管体Ｐ…の隣接間隔を所定の間隔に保持する利点をも備えている。
【００２１】
本発明にいう荷重分散カバーｃは、長さ、即ち管軸方向における長さについては特に限定する意図はないが、好ましくは角形管体Ｐの三つの角形壁２…若しくは四つの角形壁２…のピッチに相当する程度の長さを備えているものがよい。例えば、管軸方向の両端部分が、隣り合う二つの角形壁２，２上に乗る程度の長さ（角形管体Ｐの波形の１．５ピッチ程度の長さ）のものとした場合には、角形管体Ｐ上に載置したとき、作業者の不注意や載置後の何らかの外力作用によって、両端部分が、管体Ｐの円形壁部分３，３上に位置し、中間部分が単一の角形壁２上に位置することとなり、上方に配管した円形管Ｋの荷重が、単一の角形壁２に集中する事態が生じることが予測されるので、このような事態の生じることを避けるため、角形管体Ｐの波形の２ピッチ以上の長さを備えていて、常に確実に二つ以上の角形壁２，２上に乗るように設定してあることが好ましい。
【００２２】
以上本発明の代表的な実施例について説明したが、本発明は必ずしもこれらの実施例構造のもののみに限定されるものではなく、例えば断面円形管Ｋを直管のものに代えて断面円形の凹凸波形に形成した蛇腹状の管を配管する等、本発明にいう前記の構成要件を備え、かつ、本発明にいう目的を達成し、以下にいう効果を有する範囲内において適宜改変して実施することができるものである。
【００２３】
【発明の効果】
本発明にいう地中埋設管は、以上の説明から既に明らかなように、断面円形管を長さ方向所定間隔ごとに管姿勢規制用の管枕によって配管姿勢を確保してあるものとし、これらの各管枕の下方において、同円形管の荷重を支持する管体が、断面方形壁部分の複数の壁に跨る長さを有する断面コの字形の荷重分散カバーを備えているものとしてあるので、上部の断面円形管の荷重や同円形管を押圧する土砂の荷重が管枕を介して角形管体の単一の断面方形壁部分に集中し、同方形壁部分を圧縮変形させたり、損壊させたりするという不測の事態を招来することなく、角形管体上に円形管を積層配管するものでありながら、安全な状態で多孔管路を形成することができるという独自の効果を有するものである。
【００２４】
また、本発明にいう地中埋設管の埋設方法にあっては、円形管の長さ方向所定間隔ごとに配置した管姿勢規制用の管枕のそれぞれの下方において、同円形管の荷重を支える方形管体に、断面コの字形に形成した荷重分散カバーを鞍状に載置させることによって、管枕を介して伝えられる円形管の荷重や同円形管に加えられる土砂等の荷重を角形管体の一つの方形壁部分に集中させることなく、荷重分散カバーを介して複数の方形壁部分に分散させるようにしたので、荷重を受ける方形壁部分が圧縮変形させられたり、局部的に損壊させられたりするという不測の事態を招来することが最も少ない状態で多孔管路を形成することができるという顕著な効果を期待できる利点がある。
【図面の簡単な説明】
【図１】第１実施例の配管状態の要部を示す斜視図。
【図２】管体と荷重分散カバーとの斜視図。
【図３】各部品の関係を説明する斜視図。
【図４】図１の正面図。
【図５】図１の縦断側面図。
【図６】図４の状態を長尺状態で示した中間省略正面図。
【図７】配管状態を示す縦断側面図。
【図８】配管状態の他の例を示す縦断側面図。
【図９】配管状態の更に他の例を示す縦断側面図。
【図１０】配管状態の更なる他の例を示す縦断側面図。
【図１１】従来の管体を示す斜視図。
【図１２】従来の管体を示す正面図。
【符号の説明】
１  管壁
２  断面方形壁部分
３  断面円形壁部分
４  管枕
４ａ  下部管枕
４ｂ  上部管枕
Ｋ  円形管
Ｐ  管体
Ｄ  貫通穴
ｃ  荷重分散カバー
ｄ  切り込み凹部
【図１】
0004224758.tif 000002
【図２】
0004224758.tif 000003
【図３】
0004224758.tif 000004
【図４】
0004224758.tif 000005
【図５】
0004224758.tif 000006
【図６】
0004224758.tif 000007
【図７】
0004224758.tif 000008
【図８】
0004224758.tif 000009
【図９】
0004224758.tif 000010
【図１０】
0004224758.tif 000011
【図１１】
0004224758.tif 000012
【図１２】
0004224758.tif 000013